(57)【要約】【課題】  コンロの位置が側方の壁面から離れている場合でもフードをコンロ真上に配置することができ、しかも、操作性を損なわず施工コストを大幅に低減できるレンジフードの横付け構造を提供すること。【解決手段】  調理台のコンロＫ上に配置される、内部に排気ファンＦを備えたフード本体１と；このフード本体１と前記コンロＫの側方に位置する壁面Ｗとの間に配置固定され、前記フード本体１及び壁面Ｗに固定される面と直交する側面に、排気ファンＦのスイッチＳの取付け孔21が設けられたサイドアダプタ２と；前記排気ファンＦから壁面Ｗの排気孔Ｈに配設される排気ダクト３とを含んで構成し、前記サイドアダプタ２を壁面Ｗに固定したとき、コンロ正面側の側面に排気ファン11のスイッチＳを取り付け可能とした。【選択図】  図１
2011158225.tif 000002
【特許請求の範囲】
【請求項１】
調理台のコンロＫ上に配置される、内部に排気ファンＦを備えたフード本体１と；このフード本体１と前記コンロＫの側方に位置する壁面Ｗとの間に配置固定され、前記フード本体１及び壁面Ｗに固定される面と直交する側面に、排気ファンＦのスイッチＳの取付け孔21が設けられたサイドアダプタ２と；前記排気ファンＦから壁面Ｗの排気孔Ｈに配設される排気ダクト３とを含んで構成され、
前記サイドアダプタ２を壁面Ｗに固定したとき、コンロ正面側の側面に排気ファン11のスイッチＳを取り付け可能としたことを特徴とするレンジフードの横付け構造。
【請求項２】
フード本体１及びサイドアダプタ２を、上側の胴部Ｕと下側の張り出し部Ｂとから構成すると共に、前記サイドアダプタ２の胴部Ｂ上に排気ダクト３が配設した状態で、フード本体１及びサイドアダプタ２の双方の胴部Ｕ・Ｕをカバー材４により覆って構成したことを特徴とする請求項１記載のレンジフードの横付け構造。
【発明の詳細な説明】
【技術分野】
【０００１】
本発明は、レンジフードの取付け構造の改良、詳しくは、コンロの位置が側方の壁面から離れている場合でもフードをコンロ真上に配置して排気障害を防止することができ、しかも、使用面での問題も生じず施工コストの低減も図れるレンジフードの横付け構造に関するものである。
【背景技術】
【０００２】
近年、台所の主流となっているシステムキッチンには、キャビネットの配置だけでもＩ型やＬ型、Ｕ型、アイランド型などの様々な種類が存在し、コンロが設置される調理台の位置は前記システムキッチンの種類によって大きく左右される。
【０００３】
また、システムキッチンには排気を行うためのレンジフードが備え付けられるが、このレンジフードは、壁面取付けタイプと天井取付けタイプとに大別され、一般的にコンロと壁面が近い場合には壁面取付けタイプが、コンロが壁面から離れている場合には、天井取付けタイプが使用されることが多い。
【０００４】
ところが、上記天井取付けタイプのレンジフードに関しては、天井裏の工事等が必要となることから壁面取付けタイプよりも設置条件が限定されるというデメリットがある。そのため、コンロが壁面から少し離れている場合でも使用できる壁面取付けタイプのレンジフードがあると好ましい。
【０００５】
そこで、従来においては、レンジフードと壁面との間に収納箱を配置すると共に、この収納箱内を通過するように排気管を配設して壁面から離れた位置にレンジフードを配置する技術も開示されているが（特許文献１参照）、このような従前の技術では専用のレンジフードが必要となるため施工コストが高く付くという欠点があった。
【０００６】
一方、上記従来技術において、フード正面にスイッチがある一般的なレンジフード(例えば、特許文献２参照)を用いようとすると、コンロ側方の壁面に排気孔がある場合に、レンジフードの向きが変わってスイッチがフードの横側にきてしまうため、調理時に排気ファンのスイッチが操作し難くなるという問題が生じた。
【先行技術文献】
【特許文献】
【０００７】
【特許文献１】特開２００３−２３５６５８号公報（第２−７頁、第１―９図）
【特許文献２】特開２００８−２１５６２９号公報（第２−８頁、第１−８図）
【発明の開示】
【発明が解決しようとする課題】
【０００８】
本発明は、上記の如き問題に鑑みて為されたものであり、その目的とするところは、コンロの位置が側方の壁面から離れている場合でもフードをコンロ真上に配置することができ、しかも、操作性を損なわず施工コストを大幅に低減できるレンジフードの横付け構造を提供することにある。
【課題を解決するための手段】
【０００９】
本発明者が上記課題を解決するために採用した手段を添付図面を参照して説明すれば次のとおりである。
【００１０】
即ち、本発明は、調理台のコンロＫ上に配置される、内部に排気ファンＦを備えたフード本体１と；このフード本体１と前記コンロＫの側方に位置する壁面Ｗとの間に配置固定され、前記フード本体１及び壁面Ｗに固定される面と直交する側面に、排気ファンＦのスイッチＳの取付け孔21が設けられたサイドアダプタ２と；前記排気ファンＦから壁面Ｗの排気孔Ｈに配設される排気ダクト３とを含んで構成し、
前記サイドアダプタ２を壁面Ｗに固定したとき、コンロ正面側の側面に排気ファン11のスイッチＳを取り付け可能とした点に特徴がある。
【００１１】
また本発明では、必要に応じて上記技術的手段に加え、フード本体１及びサイドアダプタ２を、上側の胴部Ｕと下側の張り出し部Ｂとから構成すると共に、前記サイドアダプタ２の胴部Ｂ上に排気ダクト３が配設した状態で、フード本体１及びサイドアダプタ２の双方の胴部Ｕ・Ｕをカバー材４により覆って構成することにより、フード本体１とサイドアダプタ２の接合部位を目立たないようにするという技術的手段を採用することもできる。
【発明の効果】
【００１２】
本発明では、システムキッチン等においてコンロの位置が壁面から少し離れている場合に、フード本体と壁面の間にサイドアダプタを配置し、当該サイドアダプタを通して排気可能としたことにより、サイドアダプタの幅を調節してフード本体の位置を調整することができるため、レンジフードの吸気口を排気障害が起こらないようにコンロの真上に配置することができる。
【００１３】
また、上記サイドアダプタに関しては、側面に排気ファンのスイッチを取り付け可能としているため、フード本体にフード正面にスイッチがある一般的なレンジフードを使用する場合でも、スイッチの取り付け位置をサイドアダプタ側に変更することで、コンロ正面側にスイッチを配置することができる。
【００１４】
そしてこれにより、排気ファンのスイッチの操作性を損なうことなく、廉価な正面取付け型のレンジフードを横付け型のレンジフードに転用することが可能となるため、施工コストの大幅な低減を図ることができる。
【００１５】
したがって、本発明により、使用上において機能面および操作面に何ら問題が生じず、施工も安価に行える横付け型のレンジフードを提供できることから、本発明の実用的利用価値は頗る高い。
【図面の簡単な説明】
【００１６】
【図１】本発明の実施例１におけるレンジフードを表わす全体斜視図である。
【図２】本発明の実施例１におけるレンジフードの取付け構造を表わす全体断面図である。
【図３】本発明の実施例１におけるレンジフードの構成部材を表わす分解斜視図である。
【図４】本発明の実施例１におけるレンジフードの施工状態を表わす状態説明図である。
【発明を実施するための形態】
【００１７】
『実施例１』
まず本発明の実施例１について、図１から図４に基いて説明する。同図において、符号１で指示するものはフード本体であり、符号２で指示するものはサイドアダプタである。また、符号３で指示するものは排気ダクトであり、符号４で指示するものはカバー材である。
【００１８】
この実施例１では、内部に排気ファンＦを備え、かつ、下側に吸気口11を備えたフード本体１と、ボックス状の部材から成り、前記フード本体１に連結可能なサイドアダプタ２と、排気ファンＦと壁面Ｗの排気孔Ｈに配設される排気ダクト３と、フード本体１、サイドアダプタ２及び排気ダクト３を覆うカバー材４とからレンジフードＲを構成している（図１、図２参照）。
【００１９】
また、上記フード本体１及びサイドアダプタ２に関しては、図３に示すように上側の胴部Ｕと下側の張り出し部Ｂとから構成すると共に、前記サイドアダプタ２の張り出し部Ｂの側面に排気ファンＦのスイッチＳの取付け孔21を設けている。
【００２０】
また実施例１においては、フード本体１に正面取り付け型のレンジフードを転用していることから、張り出し部ＢにスイッチＳの取付け孔12が設けられているが、この取付け孔12については使用しないため蓋材12aで塞いでいる。
【００２１】
次に、上記構成部材から成るレンジフードＲの施工方法について説明する。まず、調理台のコンロＫの側方に位置する壁面に排気孔Ｈを設けると共に、この壁面に上記サイドアダプタ２を固定する。その後、サイドアダプタ２にフード本体１を連結し、サイドアダプタ２の胴部Ｂ上に排気ダクト３を配設する。
【００２２】
そして、サイドアダプタ２の取付け孔21に排気ファンＦのスイッチＳを取着した後、フード本体１とサイドアダプタ２の双方の胴部Ｕ・Ｕを覆うようにカバー材４を取り付けてレンジフードＲを調理台上に設置する。
【００２３】
これにより、図４に示すように調理台のコンロＫの位置が壁面から少し離れている場合でも、サイドアダプタ２の幅の分だけフード本体１の位置をコンロ側に寄せることができるため、コンロＫ真上にフード本体１を配置できる。
【００２４】
また、排気ファンＦのスイッチＳは、サイドアダプタ２のコンロ正面側に取り付けられているため、正面取り付け側のレンジフードを使用する場合でも調理台の前に立ってスイッチ操作を容易に行うことができる。
【００２５】
そしてまた、カバー材４に関しては、フード本体１とサイドアダプタ２の接合部分を目立たなくすることができ、またカバー材４を下段部41と上段部42とから構成したことにより、上段部42のみを取り外して排気ダクト３等の修理を容易に行うことができる。
【００２６】
本発明は、概ね上記のように構成されるが、本発明は図示の実施形態に限定されるものでは決してなく、「特許請求の範囲」の記載内において種々の変更が可能であって、例えば、フード本体１は、グリスフィルターや整流板を備えた一般的な構造のものであれば何れを使用してもよく、またサイドアダプタ２の大きさや形状は施工条件に合わせて変更することができ、何れのものも本発明の技術的範囲に属する。
【産業上の利用可能性】
【００２７】
近年、多様化したシステムキッチンにおいては、コンロを壁面から離して配置したものも多いため、このようなシステムキッチンに対応でき、かつ、施工コストも低廉なレンジフードは需要が大きい。
【００２８】
そのような中で、本発明のレンズフードの横付け構造は、排気機能および操作性を損なうことなくレンジフードを安価に施工できる有用な技術であることから、その産業上の利用価値は非常に高い。
【符号の説明】
【００２９】
１  フード本体
11  吸気口
12  取付け孔
12a  蓋材
２  サイドアダプタ
21  取付け孔
３  排気ダクト
４  カバー材
41  下段部
42  上段部
Ｆ  排気ファン
Ｕ  胴部
Ｂ  張り出し部
Ｒ  レンジフード
Ｗ  壁面
Ｈ  排気孔
Ｋ  コンロ
【図１】
2011158225.tif 000003
【図２】
2011158225.tif 000004
【図３】
2011158225.tif 000005
【図４】
2011158225.tif 000006